(57)【要約】【課題】外部光の影響を軽減し、視聴環境に適した良好な映像を視聴することが可能な映像処理装置を提供する。【解決手段】制御部１０は、光検出器１３によって検出された外部光を第１スペクトル分離回路１４によってＲＧＢ表色系の外部光データに色分解させ、第１変換部１５によってＸＹＺ表色系の外部光データに色変換させる。制御部１０は、ＸＹＺ表色系の外部光データの各色成分のレベルに基づいて外部光の演色評価数を算出し、算出した演色評価数に対応する補正情報をＲＯＭ１１の演色評価数テーブルから読み出す。制御部１０は、読み出した補正情報に基づく補正処理を、第２変換部１８から順次入力されてくるＸＹＺ表色系の映像信号に対して補正部１９により行なう。制御部１０は、補正された映像信号を第３変換部２０によってＲＧＢ表色系の映像信号に色変換させ、出力部２１に接続された表示装置又はプロジェクタへ出力する。【選択図】図１
2008079021.tif 000002
【特許請求の範囲】
【請求項１】
入力された映像信号に補正処理を行なう映像処理装置において、
周囲の外部光を複数の色成分に分解する分解手段と、
該分解手段が分解した複数の色成分のそれぞれのレベルを検出する検出手段と、
該検出手段が検出したレベルに基づいて前記映像信号を補正する補正手段と
を備えることを特徴とする映像処理装置。
【請求項２】
複数の演色評価数及び、各演色評価数に対応する補正情報を対応付けて記憶する演色評価数記憶手段と、
前記検出手段が検出したレベルに基づいて外部光の演色評価数を算出する算出手段とを備え、
前記補正手段は、前記算出手段が算出した演色評価数に対応して前記演色評価数記憶手段に記憶してある補正情報に基づいて映像信号を補正するように構成してあることを特徴とする請求項１に記載の映像処理装置。
【請求項３】
複数の年齢及び、各年齢に対応する補正情報を対応付けて記憶する年齢記憶手段と、
年齢を受け付ける受付手段とを備え、
前記補正手段は、前記受付手段が受け付けた年齢に対応して前記年齢記憶手段に記憶してある補正情報に基づいて映像信号を補正するように構成してあることを特徴とする請求項１又は２に記載の映像処理装置。
【請求項４】
映像信号の明度を上下させる指示を受け付ける明度受付手段を備え、
前記補正手段は、前記明度受付手段が受け付けた明度を上下させる指示に従って、映像信号の明度を所定量上下させるように構成してあることを特徴とする請求項１乃至３のいずれかひとつに記載の映像処理装置。
【請求項５】
映像信号の彩度を上下させる指示を受け付ける彩度受付手段を備え、
前記補正手段は、前記彩度受付手段が受け付けた彩度を上下させる指示に従って、映像信号の彩度を所定量上下させるように構成してあることを特徴とする請求項１乃至４のいずれかひとつに記載の映像処理装置。
【請求項６】
映像信号を複数の色成分に分解する映像信号分解手段と、
該映像信号分解手段が分解した複数の色成分のそれぞれのレベルを検出するレベル検出手段と、
複数の色成分をそれぞれ異なるレベルに規定した色成分情報及び、該色成分情報に対応する補正情報を対応付けて複数記憶する色成分情報記憶手段と、
前記レベル検出手段が検出した各色成分のレベルが、前記色成分情報記憶手段に記憶してある色成分情報が規定する各色成分のレベルに一致するか否かを判断する判断手段と、
該判断手段が一致すると判断した場合、前記レベル検出手段が前記レベルを検出した領域を前記映像信号から特定する特定手段とを備え、
前記補正手段は、前記判断手段が一致すると判断した場合、前記レベル検出手段が検出した各色成分のレベルに一致する色成分情報に対応して前記色成分情報記憶手段に記憶してある補正情報に基づいて、前記特定手段が特定した領域を補正するように構成してあることを特徴とする請求項１乃至５のいずれかひとつに記載の映像処理装置。
【請求項７】
前記色成分情報記憶手段は、記憶色に係る色成分情報と、該色成分情報に対応する補正情報とを記憶する構成としてあることを特徴とする請求項６に記載の映像処理装置。
【請求項８】
映像信号に基づく映像を表示する表示手段と、
外部光の照度を検出する照度検出手段と、
該照度検出手段が検出した照度に基づいて、前記表示手段に係る輝度を変更する手段とを備えることを特徴とする請求項１乃至７のいずれかひとつに記載の映像処理装置。
【発明の詳細な説明】
【技術分野】
【０００１】
本発明は、映像信号に対して適切な補正処理を行なう映像処理装置に関するものである。
【背景技術】
【０００２】
白色蛍光灯のような演色性の悪い光源下で撮影した場合、取得した映像信号における色再現性を十分に確保することは非常に困難である。また、映像信号を再生する場合においても、周辺環境に応じて適切な再現性を確保することは困難である。特に、プロジェクタを用いて、テレビ映像、デジタルカメラにより撮影した映像、コンピュータによって作成したグラフィック映像等を投影拡大して表示する場合には、周辺の明るさの影響を受け易く、周辺環境によっては表示映像が視聴者にとって見づらいものとなる。
【０００３】
特許文献１には、外部の光源光の種類を判別し、判別した種類に応じて白バランスの調整処理を行ないつつ、光源光の種類に応じて、撮影して取得した映像信号における色差信号の利得を変化させるカラービデオカメラが開示されている。このカラービデオカメラを用いることにより、光源の種類に拘わらず、演色性の悪い白色蛍光灯下であっても良好な色再現性を有する映像信号を取得することができる。
【特許文献１】特開平２−４６０９０号公報
【発明の開示】
【発明が解決しようとする課題】
【０００４】
しかし、特許文献１のカラービデオカメラは、撮影時に、光源の種類に応じて、取得した映像信号における色差信号の利得を変化させる構成であるので、撮影後に、撮影した映像信号に対して色差信号の利得を変化させることはできない。従って、特許文献１のカラービデオカメラでは、取得した映像信号に基づく映像を出力する際に周辺環境に適した映像信号を得ることはできず、視聴者が視聴環境に拘わらず適切な映像を視聴することは困難であるという問題を有している。また、特許文献１のカラービデオカメラは、光源の種類のみに応じた処理を行なうので、撮影時における周辺の光源の色温度、照度変化等を考慮した処理を行なうことはできないという問題を有している。
【０００５】
また、映像信号を再生する再生装置においては、視聴者の状況を考慮した適切な映像を表示するように構成されたものは少なく、例えば、視聴者の年齢に伴う眼の老化に対応した映像を表示することは困難である。また、各視聴者が自身の見え方に応じて、映像信号の明度及び彩度を適宜変更させることも困難である。
【０００６】
本発明は斯かる事情に鑑みてなされたものであり、その目的とするところは、周囲の外部光の影響を軽減し、視聴者の視聴環境に適した良好な映像を表示させることが可能な映像処理装置を提供することにある。また、本発明の他の目的は、外部光の演色性を考慮した良好な映像を表示させることが可能な映像処理装置を提供することにある。
【０００７】
本発明の他の目的は、視聴者の年齢を考慮した良好な色調の映像を表示させることが可能な映像処理装置を提供することにある。また、本発明の他の目的は、視聴者の好みに対応した明度の映像を表示させることが可能な映像処理装置を提供することにある。更に、本発明の他の目的は、視聴者の好みに対応した彩度の映像を表示させることが可能な映像処理装置を提供することにある。
【０００８】
本発明の他の目的は、映像信号の各色成分のレベルに応じた補正処理を行なうことにより、映像信号のレベルに適した良好な映像を表示させることが可能な映像処理装置を提供することにある。また、本発明の他の目的は、記憶色をより良好に再現するための補正処理を行なうことにより、記憶色により近い映像を表示させることが可能な映像処理装置を提供することにある。
【０００９】
本発明の他の目的は、視聴環境に応じて視聴者が表示画面から受ける輝度を良好に調整することが可能な映像処理装置を提供することにある。
【課題を解決するための手段】
【００１０】
本発明に係る映像処理装置は、入力された映像信号に補正処理を行なう映像処理装置において、周囲の外部光を複数の色成分に分解する分解手段と、該分解手段が分解した複数の色成分のそれぞれのレベルを検出する検出手段と、該検出手段が検出したレベルに基づいて前記映像信号を補正する補正手段とを備えることを特徴とする。
【００１１】
本発明によれば、映像処理装置は、周囲の外部光における色成分のレベルに基づいて映像信号を補正する。よって、外部光のレベルに応じて適切な補正処理を映像信号に行なうことが可能となる。
【００１２】
本発明に係る映像処理装置は、複数の演色評価数及び、各演色評価数に対応する補正情報を対応付けて記憶する演色評価数記憶手段と、前記検出手段が検出したレベルに基づいて外部光の演色評価数を算出する算出手段とを備え、前記補正手段は、前記算出手段が算出した演色評価数に対応して前記演色評価数記憶手段に記憶してある補正情報に基づいて映像信号を補正するように構成してあることを特徴とする。
【００１３】
本発明によれば、映像処理装置は、外部光の色成分のレベルに基づいて外部光の演色評価数を算出し、算出した演色評価数に対応する補正情報に基づいて映像信号を補正する。よって、外部光の演色評価数に応じて適切な補正処理を映像信号に行なうことが可能となる。
【００１４】
本発明に係る映像処理装置は、複数の年齢及び、各年齢に対応する補正情報を対応付けて記憶する年齢記憶手段と、年齢を受け付ける受付手段とを備え、前記補正手段は、前記受付手段が受け付けた年齢に対応して前記年齢記憶手段に記憶してある補正情報に基づいて映像信号を補正するように構成してあることを特徴とする。
【００１５】
本発明によれば、映像処理装置は、年齢を受け付け、受け付けた年齢に応じた補正情報に基づいて映像信号を補正する。よって、視聴者の年齢に応じて適切な補正処理を映像信号に行なうことが可能となる。
【００１６】
本発明に係る映像処理装置は、映像信号の明度を上下させる指示を受け付ける明度受付手段を備え、前記補正手段は、前記明度受付手段が受け付けた明度を上下させる指示に従って、映像信号の明度を所定量上下させるように構成してあることを特徴とする。
【００１７】
本発明によれば、映像処理装置は、映像信号の明度を上下させる指示を受け付け、受け付けた指示に従って映像信号の明度を所定量上下させる。よって、視聴者からの指示に応じて映像信号の明度の変更が可能となる。
【００１８】
本発明に係る映像処理装置は、映像信号の彩度を上下させる指示を受け付ける彩度受付手段を備え、前記補正手段は、前記彩度受付手段が受け付けた彩度を上下させる指示に従って、映像信号の彩度を所定量上下させるように構成してあることを特徴とする。
【００１９】
本発明によれば、映像処理装置は、映像信号の彩度を上下させる指示を受け付け、受け付けた指示に従って映像信号の彩度を所定量上下させる。よって、視聴者からの指示に応じて映像信号の彩度の変更が可能となる。
【００２０】
本発明に係る映像処理装置は、映像信号を複数の色成分に分解する映像信号分解手段と、該映像信号分解手段が分解した複数の色成分のそれぞれのレベルを検出するレベル検出手段と、複数の色成分をそれぞれ異なるレベルに規定した色成分情報及び、該色成分情報に対応する補正情報を対応付けて複数記憶する色成分情報記憶手段と、前記レベル検出手段が検出した各色成分のレベルが、前記色成分情報記憶手段に記憶してある色成分情報が規定する各色成分のレベルに一致するか否かを判断する判断手段と、該判断手段が一致すると判断した場合、前記レベル検出手段が前記レベルを検出した領域を前記映像信号から特定する特定手段とを備え、前記補正手段は、前記判断手段が一致すると判断した場合、前記レベル検出手段が検出した各色成分のレベルに一致する色成分情報に対応して前記色成分情報記憶手段に記憶してある補正情報に基づいて、前記特定手段が特定した領域を補正するように構成してあることを特徴とする。
【００２１】
本発明によれば、映像処理装置は、映像信号における複数の色成分のそれぞれのレベルを検出し、検出した各色成分のレベルが、予め色成分情報記憶手段に記憶してある色成分情報が規定する各色成分のレベルに一致するか否かを判断する。映像処理装置は、一致する場合に、前記色成分情報に一致した各色成分のレベルを検出した領域を映像信号から特定し、特定した領域に対して、前記色成分情報に応じた補正情報に基づく補正処理を行なう。よって、映像信号における各色成分のレベルに応じて適切な補正処理を前記映像信号に行なうことが可能となる。
【００２２】
本発明に係る映像処理装置は、前記色成分情報記憶手段は、記憶色に係る色成分情報と、該色成分情報に対応する補正情報とを記憶する構成としてあることを特徴とする。
【００２３】
本発明によれば、映像処理装置は、映像信号における各色成分のレベルが記憶色に対応したレベルである場合に、映像信号のレベルに応じた補正情報に基づいて映像信号を補正する。よって、記憶色をより良好に再現するための補正処理を映像信号に行なうことが可能となる。
【００２４】
本発明に係る映像処理装置は、映像信号に基づく映像を表示する表示手段と、外部光の照度を検出する照度検出手段と、該照度検出手段が検出した照度に基づいて、前記表示手段に係る輝度を変更する手段とを備えることを特徴とする。
【００２５】
本発明によれば、映像処理装置は、映像信号に基づく映像を表示する表示手段を有しており、外部光の照度に基づいて前記表示手段に係る輝度を変更する。よって、視聴環境の明るさに応じて表示画面の輝度の変更が可能となる。
【発明の効果】
【００２６】
本発明では、映像処理装置が、周囲の外部光のレベルに応じた補正処理を映像信号に行なうことにより、外部光の影響を軽減した良好な映像を表示させることができ、視聴者は、映像信号が取得された取得環境に拘わらず、視聴環境に適した良好な映像を視聴することができる。
【００２７】
本発明では、映像処理装置が、外部光の演色評価数に応じた補正処理を映像信号に行なうことにより、外部光の演色性を考慮した良好な映像を表示させることができ、視聴者は視聴環境に適した良好な映像を視聴することができる。
【００２８】
本発明では、映像処理装置が、視聴者の年齢に応じた補正処理を映像信号に行なうことにより、視聴者の年齢を考慮した良好な色調の映像を表示させることができ、視聴者は自身の年齢に伴う眼の老化を気にすることなく良好な映像を視聴することができる。例えば、人間の眼の水晶体は加齢に従って色素沈着による黄褐色化が進み、黄色の補色である青色が見えにくくなることに鑑み、視聴者が高年齢の場合には、青色を強調する補正処理を行なう。
【００２９】
本発明では、映像処理装置が、視聴者からの指示に応じて映像信号の明度を変更することにより、視聴者の好みに対応した明度の映像を表示させることができ、視聴者は好みの明度の映像を視聴することができる。
【００３０】
本発明では、映像処理装置が、視聴者からの指示に応じて映像信号の彩度を変更することにより、視聴者の好みに対応した彩度の映像を表示させることができ、視聴者は好みの彩度の映像を視聴することができる。
【００３１】
本発明では、映像処理装置が、映像信号のレベルに応じて適切な補正処理を前記映像信号に行なうことにより、映像信号の各色成分のレベルに適した良好な映像を表示させることができ、視聴者は良好な映像を視聴することができる。
【００３２】
本発明では、映像処理装置が、記憶色をより良好に再現するための補正処理を映像信号に行なうことにより、視聴者は記憶色により近い映像を視聴することができる。例えば、人間が空の色を実際の色よりも紫に近い色に記憶していることに鑑み、映像信号に基づく映像における空の色の領域に対応する映像信号を記憶色に近づける補正処理を行なう。また、人間が肌の色を実際の色よりも赤に近い色に記憶していることに鑑み、映像信号に基づく映像における肌の色の領域に対応する映像信号を記憶色に近づける補正処理を行なう。
【００３３】
本発明では、映像処理装置が、視聴環境の明るさに応じて表示画面の輝度を変更することにより、視聴環境に応じて視聴者が表示画面から受ける輝度を良好に調整することができる。例えば、暗い環境で視聴する場合には表示画面の輝度を下げることにより、視聴者は表示画面を眩しいと感じることがなく、また、明るい環境で視聴する場合には表示画面の輝度を上げることにより、視聴者は表示画面を暗く感じることがない。また、明るい環境で視聴している状態から電気を消して暗くした場合に表示画面の輝度を下げることにより、明るい環境から暗い環境に変化した場合に人間の眼が慣れるのに数十分かかるという暗順応に応じた映像を表示させることができる。更に、暗い環境で視聴している状態から電気を付けて明るくした場合に表示画面の輝度を上げることにより、暗い環境から明るい環境に変化した場合に人間の眼が慣れるのに数分かかるという明順応に応じた映像を表示させることができる。
【発明を実施するための最良の形態】
【００３４】
以下に、本発明に係る映像処理装置をその実施形態を示す図面に基づいて詳述する。
（実施形態１）
図１は実施形態１に係る映像処理装置の要部構成例を示すブロック図であり、図中１は本実施形態１の映像処理装置を示している。本実施形態１の映像処理装置１は、制御部１０、ＲＯＭ１１、ＲＡＭ１２、光検出器１３、第１スペクトル分離回路１４、第１変換部１５、入力部１６、第２スペクトル分離回路１７、第２変換部１８、補正部１９、第３変換部２０、出力部２１等を備えており、それぞれはバス１ａを介して相互に接続されている。なお、図１では、光検出器１３、第１スペクトル分離回路１４及び第１変換部１５のそれぞれと、バス１ａとの接続線を省略して示している。
【００３５】
制御部１０は、具体的にはＣＰＵ（Central Processing Unit ）又はＭＰＵ（Micro Processor Unit）等で構成されており、バス１ａを介して接続される上述したようなハードウェア各部の動作を制御すると共に、ＲＯＭ１１に予め格納されている制御プログラムを適宜ＲＡＭ１２に読み出して実行する。ＲＯＭ１１には、映像処理装置１を本発明に係る映像処理装置として動作させるために必要な種々の制御プログラムが予め格納されている。ＲＡＭ１２はＳＲＡＭ又はＳＤＲＡＭ等で構成され、制御部１０による制御プログラムの実行時に発生するデータを一時的に記憶する。
【００３６】
光検出器１３は、映像処理装置１の周囲の外部光を検出し、検出した外部光を第１スペクトル分離回路１４へ導く。第１スペクトル分離回路１４は、例えばＣＣＤ（Charge Couple Device）により構成された分光器であり、光検出器１３から導かれてきた外部光を、例えばＲ（赤）成分、Ｇ（緑）成分、Ｂ（青）成分のように複数の色成分に分解する分解手段として動作し、ＲＧＢ表色系のアナログデータを取得する。また、第１スペクトル分離回路１４は、Ａ／Ｄ変換器を備え、ＣＣＤによって取得したアナログデータを必要に応じてデジタルデータ（以下、外部光データと呼ぶ）に変換し、得られたＲＧＢ表色系の外部光データを第１変換部１５へ送出する。
【００３７】
第１変換部１５は、色変換処理を行ない、第１スペクトル分離回路１４から取得したＲＧＢ表色系の外部光データを、例えば、ＸＹＺ表色系の外部光データに変換して補正部１９へ送出する。なお、本実施形態１の映像処理装置１では、良好な映像を表示させるために行なう映像信号に対する補正処理を、ＸＹＺ表色系の映像信号に対して行なう。
【００３８】
入力部１６は、例えば、テレビジョン放送に係る映像信号を受信するためのチューナ、テレビジョン放送に係る映像信号を受信して記録媒体に記録する記録再生装置、パーソナルコンピュータ、撮影した映像信号を記録媒体に記録するデジタルカメラ等との接続が可能に構成されており、接続された装置から出力されてくる映像信号を取得して第２スペクトル分離回路１７へ送出する。
【００３９】
第２スペクトル分離回路１７は、第１スペクトル分離回路１４と同様の構成であり、入力部１６を介して入力された映像信号を、ＲＧＢの各色成分に分解し、得られたＲＧＢ表色系の映像信号を第２変換部１８へ送出する。なお、第２スペクトル分離回路１７は、入力部１６から入力された映像信号がアナログ信号である場合には、アナログの映像信号を必要に応じてデジタルの映像信号に変換して第２変換部１８へ送出する。第２変換部１８は、第１変換部１５と同様の構成であり、第２スペクトル分離回路１７から取得したＲＧＢ表色系の映像信号を、例えば、ＸＹＺ表色系の映像信号に変換して補正部１９へ送出する。
【００４０】
ここで、本実施形態１の映像処理装置１において、制御部１０は、第１変換部１５によって生成されたＸＹＺ表色系の外部光データにおける各色成分のレベル（強度）を検出する検出手段として動作する。また、制御部１０は、ＪＩＳ規格で規定された所定の計算式を用い、検出した外部光データにおける各色成分のレベルに基づいて外部光の演色評価数を算出する算出手段として動作する。
【００４１】
また、本実施形態１の映像処理装置１では、ＲＯＭ（演色評価数記憶手段）１１に、複数の演色評価数と、各演色評価数に対応する補正情報とを対応付けて登録してある演色評価数テーブルが記憶してある。そして、制御部１０は、第１変換部１５によって生成された外部光データの各色成分のレベルに基づいて算出した演色評価数に対応する補正情報をＲＯＭ１１の演色評価数テーブルから読み出し、読み出した補正情報に基づく補正処理を補正部（補正手段）１９に行なわせる。
【００４２】
補正部１９は、制御部１０がＲＯＭ１１の演色評価数テーブルから読み出した補正情報に基づき、第２変換部１８から取得するＸＹＺ表色系の映像信号を補正し、第３変換部２０へ送出する。なお、演色評価数テーブルには、例えば、低い演色評価数に対しては、各色成分の値を大きくする補正情報が登録されており、高い演色評価数に対しては、各色成分の値をあまり変更しない補正情報が登録されている。
【００４３】
第３変換部２０は、第１変換部１５及び第２変換部１８とは逆の色変換処理を行ない、補正部１９から取得したＸＹＺ表色系の映像信号を、ＲＧＢ表色系の映像信号に変換して出力部２１へ送出する。出力部２１は、例えば、液晶ディスプレイ又はプラズマディスプレイ等の表示装置、壁又はスクリーン等に映像を拡大して投影させるプロジェクタ等との接続が可能に構成されており、第３変換部２０から取得する映像信号を、制御部１０からの指示に従ったタイミングで、接続された装置へ出力する。これにより、映像処理装置１によって所定の補正処理が施された映像信号を外部の表示装置又はプロジェクタによって表示させることができる。
【００４４】
上述したように本実施形態１の映像処理装置１は、外部光の演色評価数に応じた補正処理を行なうことにより、外部光の演色性を考慮し、外部光の影響を軽減した良好な映像を外部の表示装置又はプロジェクタによって表示させることができる。よって、視聴者は、映像信号が取得された取得環境に拘わらず、視聴環境に適した良好な映像を視聴することができる。
【００４５】
以下に、上述した構成の映像処理装置１による映像信号の補正処理について説明する。図２は実施形態１に係る映像処理装置１による映像信号の補正処理の手順を示すフローチャートである。なお、以下の処理は、ＲＯＭ１１に予め格納されている制御プログラムに従って制御部１０によって実行される。
【００４６】
映像処理装置１において、出力部２１に接続された表示装置又はプロジェクタによって表示させるべく、入力部１６を介して映像信号が入力される場合、制御部１０は、光検出器１３によって検出した外部光を第１スペクトル分離回路１４によって色成分に分離してＲＧＢ表色系の外部光データを取得する（Ｓ１）。次に制御部１０は、第１変換部１５によって色変換処理を行ない、ＲＧＢ表色系の外部光データをＸＹＺ表色系の外部光データに変換する（Ｓ２）。一方、制御部１０は、入力部１６から入力されてくる映像信号を第２スペクトル分離回路１７によって色成分に分離してＲＧＢ表色系の映像信号を取得し（Ｓ３）、第２変換部１８によってＸＹＺ表色系の映像信号に変換する（Ｓ４）。
【００４７】
制御部１０は、ステップＳ２で取得したＸＹＺ表色系の外部光データにおける各色成分のレベルに基づいて外部光の演色評価数を算出し（Ｓ５）、算出した演色評価数に対応する補正情報を、ＲＯＭ１１に記憶してある演色評価数テーブルから読み出す（Ｓ６）。制御部１０は、演色評価数テーブルから読み出した補正情報に基づき、補正部１９によって、ステップＳ４で取得したＸＹＺ表色系の映像信号を補正する（Ｓ７）。また、制御部１０は、補正したＸＹＺ表色系の映像信号を、第３変換部２０によってＲＧＢ表色系の映像信号に変換し、出力部２１から外部の装置へ出力する（Ｓ８）。
【００４８】
制御部１０は、入力部１６からの映像信号の入力が終了したか否かを判断し（Ｓ９）、入力が終了していないと判断した場合（Ｓ９：ＮＯ）、ステップＳ１へ処理を戻し、入力部１６を介して順次入力されてくる映像信号に対して、外部光の演色性に応じた補正処理を行なう。制御部１０は、入力部１６からの映像信号の入力が終了したと判断した場合（Ｓ９：ＹＥＳ）、上述したような補正処理を終了する。
【００４９】
上述した実施形態１の映像処理装置１は、外部光における各色成分のレベルに基づいて外部光の演色評価数を算出する構成を有しているが、ユーザによって演色評価数を入力できるように構成してもよい。この場合、映像処理装置１は、例えば蛍光灯のように演色評価数が予め設定されている光源下で映像を視聴する際に、ユーザによって入力された演色評価数に応じた補正処理を行なえばよい。
【００５０】
（実施形態２）
以下に、実施形態２における映像処理装置について説明する。なお、本実施形態２の映像処理装置は、上述した実施形態１の映像処理装置１と同様の構成を有しており、同様の構成については同一の符号を付して説明を省略する。図３は実施形態２に係る映像処理装置の要部構成例を示すブロック図である。本実施形態２の映像処理装置１は、図１で示した各構成のほかに、操作部２２がバス１ａに接続されている。
【００５１】
操作部２２は、映像処理装置１のユーザからの種々の指示を受け付けるための複数のキーを備えている。具体的には、操作部２２は、映像処理装置１によって処理された映像信号に基づく映像を視聴する視聴者の年齢を受け付けるための年齢入力キー（受付手段）、映像信号の明度を上下させる指示を受け付けるための明度変更キー（明度受付手段）、映像信号の彩度を上下させる指示を受け付けるための彩度変更キー（彩度受付手段）等を有する。
【００５２】
なお、操作部２２に年齢入力キー、明度変更キー、彩度変更キーを設ける代わりに、映像処理装置１に設けられた表示部（図示せず）に所定のメニュー画面を表示させ、メニュー画面を介して、視聴者の年齢、映像信号の明度を上下させる指示、映像信号の彩度を上下させる指示を行なうように映像処理装置１を構成してもよい。また、明度変更キー及び彩度変更キーはそれぞれ、明度及び彩度を上げる指示を受け付けるためのキーと、明度及び彩度を下げる指示を受け付けるためのキーとを有する。
【００５３】
また、本実施形態２では、ＲＯＭ（年齢記憶手段）１１に、複数の年齢と、各年齢に対応する補正情報とを対応付けて登録してある年齢テーブルが記憶してある。従って、制御部１０は、操作部２２の年齢入力キーを介してユーザによって入力された年齢に対応する補正情報をＲＯＭ１１の年齢テーブルから読み出し、読み出した補正情報に基づく補正処理を補正部１９に行なわせる。なお、年齢テーブルには、例えば、高年齢に対しては、Ｚ成分（Ｂ成分に相当）のレベルを所定量だけ強くする補正情報が登録されている。このような年齢テーブルに登録してある補正情報に基づく補正処理を行なうことにより、視聴者の年齢を考慮した良好な色調の映像信号を生成することができ、視聴者は、自身の年齢に伴う眼の老化を気にすることなく良好な映像を視聴することができる。
【００５４】
また、ＲＯＭ１１には、ユーザによって操作部２２の明度変更キーが操作された場合に、制御部１０がＸＹＺ表色系の映像信号の各色成分の明度を上下させる際の所定の明度変更量が予め記憶されている。同様に、ユーザによって操作部２２の彩度変更キーが操作された場合に、制御部１０がＸＹＺ表色系の映像信号の各色成分の彩度を上下させる際の所定の彩度変更量もＲＯＭ１１に予め記憶されている。
【００５５】
従って、制御部１０は、ユーザによって操作部２２の明度変更キーが操作された場合、ＲＯＭ１１に記憶してある明度変更量に基づいて、補正部１９によってＸＹＺ表色系の映像信号における各色成分の明度を上下させる。また、制御部１０は、ユーザによって操作部２２の彩度変更キーが操作された場合、ＲＯＭ１１に記憶してある彩度変更量に基づいて、補正部１９によってＸＹＺ表色系の映像信号における各色成分の彩度を上下させる。このように、視聴者からの入力に従って映像信号の明度及び彩度を適宜変更させる補正処理を行なうことにより、視聴者の希望に従った良好な明度及び彩度の映像信号を生成することができ、視聴者は、好みの明度及び彩度にて映像を視聴することができる。
【００５６】
以下に、上述した構成の映像処理装置１による映像信号の補正処理について説明する。図４及び図５は実施形態２に係る映像処理装置１による映像信号の補正処理の手順を示すフローチャートである。なお、以下の処理は、ＲＯＭ１１に予め格納されている制御プログラムに従って制御部１０によって実行される。
【００５７】
映像処理装置１において、出力部２１に接続された表示装置又はプロジェクタによって表示させるべく、入力部１６を介して映像信号が入力される場合、制御部１０は、入力部１６から入力されてくる映像信号を第２スペクトル分離回路１７によって色成分に分離してＲＧＢ表色系の映像信号を取得し（Ｓ１１）、第２変換部１８によってＸＹＺ表色系の映像信号に変換する（Ｓ１２）。制御部１０は、操作部２２の年齢入力キーを介してユーザによって年齢が入力されたか否かを判断し（Ｓ１３）、年齢が入力されたと判断した場合（Ｓ１３：ＹＥＳ）、入力された年齢に対応する補正情報をＲＯＭ１１の年齢テーブルから読み出す（Ｓ１４）。制御部１０は、年齢テーブルから読み出した補正情報に基づき、補正部１９によって、ステップＳ１２で取得したＸＹＺ表色系の映像信号を補正し（Ｓ１５）、補正したＸＹＺ表色系の映像信号を、第３変換部２０によってＲＧＢ表色系の映像信号に変換し、出力部２１から外部の装置へ出力する（Ｓ１６）。
【００５８】
制御部１０は、年齢入力キーを介して年齢が入力されていないと判断した場合（Ｓ１３：ＮＯ）、操作部２２の明度変更キーを介して明度を上げる指示を受け付けたか否かを判断する（Ｓ１８）。制御部１０は、明度を上げる指示を受け付けたと判断した場合（Ｓ１８：ＹＥＳ）、ＲＯＭ１１に記憶してある明度変更量を読み出し（Ｓ１９）、読み出した明度変更量に基づき、ステップＳ１２で取得したＸＹＺ表色系の映像信号に対して、各色成分の明度を上げる補正処理を補正部１９によって実行する（Ｓ２０）。また、制御部１０は、補正したＸＹＺ表色系の映像信号を、第３変換部２０によってＲＧＢ表色系の映像信号に変換し、出力部２１から外部の装置へ出力する（Ｓ１６）。
【００５９】
制御部１０は、明度を上げる指示を受け付けていないと判断した場合（Ｓ１８：ＮＯ）、操作部２２の明度変更キーを介して明度を下げる指示を受け付けたか否かを判断する（Ｓ２１）。制御部１０は、明度を下げる指示を受け付けたと判断した場合（Ｓ２１：ＹＥＳ）、ＲＯＭ１１に記憶してある明度変更量を読み出し（Ｓ２２）、読み出した明度変更量に基づき、ステップＳ１２で取得したＸＹＺ表色系の映像信号に対して、各色成分の明度を下げる補正処理を補正部１９によって実行する（Ｓ２３）。また、制御部１０は、補正したＸＹＺ表色系の映像信号を、第３変換部２０によってＲＧＢ表色系の映像信号に変換し、出力部２１から外部の装置へ出力する（Ｓ１６）。
【００６０】
制御部１０は、明度を下げる指示を受け付けていないと判断した場合（Ｓ２１：ＮＯ）、操作部２２の彩度変更キーを介して彩度を上げる指示を受け付けたか否かを判断する（Ｓ２４）。制御部１０は、彩度を上げる指示を受け付けたと判断した場合（Ｓ２４：ＹＥＳ）、ＲＯＭ１１に記憶してある彩度変更量を読み出し（Ｓ２５）、読み出した彩度変更量に基づき、ステップＳ１２で取得したＸＹＺ表色系の映像信号に対して、各色成分の彩度を上げる補正処理を補正部１９によって実行する（Ｓ２６）。また、制御部１０は、補正したＸＹＺ表色系の映像信号を、第３変換部２０によってＲＧＢ表色系の映像信号に変換し、出力部２１から外部の装置へ出力する（Ｓ１６）。
【００６１】
制御部１０は、彩度を上げる指示を受け付けていないと判断した場合（Ｓ２４：ＮＯ）、操作部２２の彩度変更キーを介して彩度を下げる指示を受け付けたか否かを判断する（Ｓ２７）。制御部１０は、彩度を下げる指示を受け付けたと判断した場合（Ｓ２７：ＹＥＳ）、ＲＯＭ１１に記憶してある彩度変更量を読み出し（Ｓ２８）、読み出した彩度変更量に基づき、ステップＳ１２で取得したＸＹＺ表色系の映像信号に対して、各色成分の彩度を下げる補正処理を補正部１９によって実行する（Ｓ２９）。また、制御部１０は、補正したＸＹＺ表色系の映像信号を、第３変換部２０によってＲＧＢ表色系の映像信号に変換し、出力部２１から外部の装置へ出力する（Ｓ１６）。
【００６２】
制御部１０は、彩度を下げる指示を受け付けていないと判断した場合（Ｓ２７：ＮＯ）、ステップＳ１６へ処理を移行し、ステップＳ１２で取得したＸＹＺ表色系の映像信号に対して補正処理を行なわずに、第３変換部２０によってＲＧＢ表色系の映像信号に変換し、出力部２１から外部の装置へ出力する（Ｓ１６）。制御部１０は、入力部１６からの映像信号の入力が終了したか否かを判断し（Ｓ１７）、入力が終了していないと判断した場合（Ｓ１７：ＮＯ）、ステップＳ１１へ処理を戻し、入力部１６を介して順次入力されてくる映像信号に対して、上述したような補正処理を行なう。制御部１０は、入力部１６からの映像信号の入力が終了したと判断した場合（Ｓ１７：ＹＥＳ）、上述したような補正処理を終了する。
【００６３】
上述した実施形態２では、ユーザからの年齢の入力、明度又は彩度を上下させる指示を受け付け、入力された年齢、明度又は彩度を上下させる指示に対応する補正処理を行なうことにより、ユーザの年齢に応じた映像、又はユーザの好みの明度及び彩度の映像を表示させることができる。なお、本発明の映像処理装置１を、上述の実施形態１で示した構成と、本実施形態２で示した構成とを組み合わせた構成とすることもできる。具体的には、周囲の外部光の演色性に応じた補正処理を行ないつつ、ユーザからの入力に応じた補正処理を行なうことにより、ユーザの見やすいより良好な映像を表示することができる。
【００６４】
（実施形態３）
以下に、実施形態３における映像処理装置について説明する。なお、本実施形態３の映像処理装置は、上述した実施形態１の映像処理装置１と同様の構成であるので説明を省略する。本実施形態３では、ＲＯＭ（色成分情報記憶手段）１１に、ＸＹＺの各色成分をそれぞれ異なるレベルに規定した色成分情報と、この色成分情報に対応する補正情報とを対応付けて複数組登録してある色成分情報テーブルが記憶してある。
【００６５】
なお、色成分情報テーブルには、例えば、記憶色である空の色を規定した色成分情報に対しては、紫に近付けるように各色成分のレベルを所定量ずつ変更する補正情報が登録されている。また、記憶色である人間の肌の色規定した色成分情報に対しては、赤に近付けるように各色成分のレベルを所定量ずつ変更する補正情報が登録されている。
【００６６】
また、本実施形態３では、制御部１０は、入力部１６から入力された映像信号に対して第２スペクトル分離回路（映像信号分解手段）１７によって色分離処理を行なってＲＧＢ表色系の映像信号を生成し、生成したＲＧＢ表色系の映像信号に対して第２変換部１８によって色変換処理を行なってＸＹＺ表色系の映像信号を生成する。また、制御部１０は、生成されたＸＹＺ表色系の映像信号における各色成分のレベル（強度）を検出するレベル検出手段として動作する。
【００６７】
更に、制御部１０は、逐次検出するＸＹＺ表色系の映像信号における各色成分のレベルが、ＲＯＭ１１の色成分情報テーブルに登録してある色成分情報が示す各色成分のレベルに一致するか否かを判断する判断手段として動作する。また、制御部１０は、逐次検出する各色成分のレベルが、色成分情報テーブルに登録してある色成分情報が示す各色成分のレベルに一致すると判断した場合、ＸＹＺ表色系の映像信号において、この各レベルを検出した領域を特定する特定手段として動作する。
【００６８】
制御部１０は、検出した各色成分のレベルが一致した、色成分情報テーブルに登録してある色成分情報に対応する補正情報をＲＯＭ１１の色成分情報テーブルから読み出し、読み出した補正情報に基づく補正処理を、第２変換部１８から取得する映像信号において、前記各レベルを検出したと特定された領域に対して、補正部１９によって行なう。このような色成分情報テーブルに登録してある補正情報に基づく補正処理を行なうことにより、例えば記憶色をより良好に再現した色調の映像信号を生成することができ、視聴者は、記憶色により近い映像を視聴することができる。
【００６９】
以下に、上述した構成の映像処理装置１による映像信号の補正処理について説明する。図６は実施形態３に係る映像処理装置１による映像信号の補正処理の手順を示すフローチャートである。なお、以下の処理は、ＲＯＭ１１に予め格納されている制御プログラムに従って制御部１０によって実行される。
【００７０】
映像処理装置１において、出力部２１に接続された表示装置又はプロジェクタによって表示させるべく、入力部１６を介して映像信号が入力される場合、制御部１０は、入力部１６から入力されてくる映像信号を第２スペクトル分離回路１７によって色成分に分離してＲＧＢ表色系の映像信号を取得し（Ｓ３１）、第２変換部１８によってＸＹＺ表色系の映像信号に変換する（Ｓ３２）。制御部１０は、生成されたＸＹＺ表色系の映像信号における各色成分のレベルを検出し、検出した各色成分のレベルに対応する色成分情報がＲＯＭ１１の色成分情報テーブルに登録されているか否かを判断する（Ｓ３３）。
【００７１】
制御部１０は、対応する色成分情報が色成分情報テーブルに登録されていないと判断した場合（Ｓ３３：ＮＯ）、ステップＳ３８へ処理を移行する。また、制御部１０は、検出した各色成分のレベルに対応する色成分情報が色成分情報テーブルに登録されていると判断した場合（Ｓ３３：ＹＥＳ）、前記色成分情報に対応する補正情報をＲＯＭ１１の色成分情報テーブルから読み出す（Ｓ３４）。また、制御部１０は、前記色成分情報を検出した領域を、ＸＹＺ表色系の映像信号において特定し（Ｓ３５）、特定した領域に対して、ステップＳ３４で色成分情報テーブルから読み出した補正情報に基づく補正処理を補正部１９によって実行し（Ｓ３６）、補正したＸＹＺ表色系の映像信号を、第３変換部２０によってＲＧＢ表色系の映像信号に変換し、出力部２１から外部の装置へ出力する（Ｓ３７）。
【００７２】
制御部１０は、入力部１６からの映像信号の入力が終了したか否かを判断し（Ｓ３８）、入力が終了していないと判断した場合（Ｓ３８：ＮＯ）、ステップＳ３１へ処理を戻し、入力部１６を介して順次入力されてくる映像信号に対して、上述したような補正処理を行なう。制御部１０は、入力部１６からの映像信号の入力が終了したと判断した場合（Ｓ３８：ＹＥＳ）、上述したような補正処理を終了する。
【００７３】
上述した実施形態３では、各記憶色に対応する補正処理を行なうことにより、記憶色をより良好に再現した映像を表示させることができる。また、本発明の映像処理装置１を、上述の実施形態１，２で示した構成と、本実施形態３で示した構成とを組み合わせた構成とすることもできる。具体的には、周囲の外部光の演色性に応じた補正処理、ユーザからの入力に応じた補正処理を行ないつつ、入力されてくる映像信号の各色成分のレベルに応じた補正処理を行なうことにより、記憶色をより良好に再現しつつ、ユーザの見やすい良好な映像を表示することができる。
【００７４】
（実施形態４）
以下に、実施形態４における映像処理装置について説明する。なお、本実施形態４の映像処理装置は、上述した実施形態１の映像処理装置１と同様の構成を有しており、同様の構成については同一の符号を付して説明を省略する。図７は実施形態４に係る映像処理装置の要部構成例を示すブロック図である。本実施形態４の映像処理装置１は、図１で示した各構成のほかに、パネル駆動回路２３及びバックライト制御回路２４がバス１ａに接続されている。
【００７５】
パネル駆動回路２３には、例えば、複数の液晶素子を２次元マトリクス状に配列して構成された液晶表示パネル（表示手段）２３ａが接続してあり、パネル駆動回路２３は、制御部１０からの制御に従って、液晶表示パネル２３ａを駆動させ、第３変換部２０から出力されてくるＲＧＢ表色系の映像信号に基づく映像を液晶表示パネル２３ａに表示させる。バックライト制御回路２４には、液晶表示パネル２３ａの背面に配置され、例えば、冷陰極蛍光管（ＣＣＦＬ：Cold Cathode Fluorescent Lamp）を利用して構成されたバックライト２４ａが接続してあり、バックライト制御回路２４は、制御部１０からの制御に従って、バックライト２４ａの点灯及び消灯を制御する。
【００７６】
本実施形態３では、制御部１０は、第１変換部１５によって生成されたＸＹＺ表色系の外部光データに基づいて、外部光の照度を検出する照度検出手段として動作する。また、制御部１０は、検出した外部光の照度のレベルに基づいて、バックライト２４ａの輝度を変更する。具体的には、外部光の照度が高くなるほどバックライト２４ａの輝度を明るくし、外部光の照度が低くなるほどバックライト２４ａの輝度を暗く制御する。なお、バックライト２４ａの輝度の制御は、例えば、ＰＷＭ（Pulse Width Modulation）のデューティ制御によって行なう。また、外部光の照度に基づき変更するバックライト２４ａの輝度に関する情報はＲＯＭ１１に予め記憶させておく。
【００７７】
このように視聴環境の明るさに応じてバックライト２４ａの輝度を変更することにより、視聴環境に応じて視聴者が表示画面から受ける輝度を良好に調整することができる。従って、暗い環境で視聴する場合にはバックライト２４ａの輝度を下げることにより、視聴者は表示画面を眩しいと感じることがなく、また、明るい環境で視聴する場合にはバックライト２４ａの輝度を上げることにより、視聴者は表示画面を暗く感じることがない。更に、明るい環境で視聴している状態から電気を消して暗くした場合にバックライト２４ａの輝度を下げることにより、明るい環境から暗い環境に変化した場合に人間の眼が慣れるのに数十分かかるという暗順応に応じた映像を表示させることができる。更に、暗い環境で視聴している状態から電気を付けて明るくした場合にバックライト２４ａの輝度を上げることにより、暗い環境から明るい環境に変化した場合に人間の眼が慣れるのに数分かかるという明順応に応じた映像を表示させることができる。
【００７８】
以下に、上述した構成の映像処理装置１によるバックライト２４ａの輝度の制御処理について説明する。図８は実施形態４に係る映像処理装置１によるバックライト２４ａの輝度の制御処理の手順を示すフローチャートである。なお、以下の処理は、ＲＯＭ１１に予め格納されている制御プログラムに従って制御部１０によって実行される。
【００７９】
映像処理装置１において、出力部２１に接続された表示装置又はプロジェクタによって表示させるべく、入力部１６を介して映像信号が入力される場合、制御部１０は、光検出器１３によって検出した外部光を第１スペクトル分離回路１４によって色成分に分離してＲＧＢ表色系の外部光データを取得する（Ｓ４１）。次に制御部１０は、第１変換部１５によって色変換処理を行ない、ＲＧＢ表色系の外部光データをＸＹＺ表色系の外部光データに変換する（Ｓ４２）。制御部１０は、生成したＸＹＺ表色系の外部光データの各色成分のレベルに基づいて、外部光の照度を検出する（Ｓ４３）。
【００８０】
制御部１０は、検出した照度に対応する輝度をＲＯＭ１１から読み出し（Ｓ４４）、読み出した輝度に基づき、バックライト制御回路２４を制御することによって、バックライト２４ａの輝度を変更する（Ｓ４５）。なお、制御部１０は、外部光の照度に基づくバックライト２４ａの輝度の変更処理を行ないつつ、入力部１６から順次入力されてくる映像信号を補正部１９によって補正しながらパネル駆動回路２３を介して液晶表示パネル２３ａに表示させる。制御部１０は、入力部１６から入力されてくる映像信号に基づく映像の液晶表示パネル２３ａでの表示が終了したか否かを判断し（Ｓ４６）、終了していないと判断した場合（Ｓ４６：ＮＯ）、ステップＳ４１へ処理を戻し、終了したと判断した場合（Ｓ４６：ＹＥＳ）、上述したバックライト２４ａの輝度の制御処理を終了する。
【００８１】
上述した実施形態４では、外部光の照度に対応して、バックライト２４ａの輝度を変更することにより、視聴環境の影響を軽減した良好な映像を表示させることができる。よって、視聴者は、映像信号が取得された取得環境に拘わらず、視聴環境に適した良好な映像を視聴することができる。なお、本発明の映像処理装置１を、上述の実施形態１〜３で示した構成と、本実施形態４で示した構成とを組み合わせた構成とすることもできる。具体的には、周囲の外部光の演色性に応じた補正処理、ユーザからの入力に応じた補正処理、入力されてくる映像信号の各色成分のレベルに応じた補正処理を行ないつつ、外部光の照度に応じてバックライト２４ａの輝度の制御処理を行なうことにより、ユーザの見やすい良好な映像を表示することができる。
【図面の簡単な説明】
【００８２】
【図１】実施形態１に係る映像処理装置の要部構成例を示すブロック図である。
【図２】実施形態１に係る映像処理装置による映像信号の補正処理の手順を示すフローチャートである。
【図３】実施形態２に係る映像処理装置の要部構成例を示すブロック図である。
【図４】実施形態２に係る映像処理装置による映像信号の補正処理の手順を示すフローチャートである。
【図５】実施形態２に係る映像処理装置による映像信号の補正処理の手順を示すフローチャートである。
【図６】実施形態３に係る映像処理装置による映像信号の補正処理の手順を示すフローチャートである。
【図７】実施形態４に係る映像処理装置の要部構成例を示すブロック図である。
【図８】実施形態４に係る映像処理装置によるバックライトの輝度の制御処理の手順を示すフローチャートである。
【符号の説明】
【００８３】
１  映像処理装置
１０  制御部（検出手段、算出手段）
１１  ＲＯＭ（演色評価数記憶手段）
１４  第１スペクトル分離回路（分解手段）
１９  補正部（補正手段）
【図１】
2008079021.tif 000003
【図２】
2008079021.tif 000004
【図３】
2008079021.tif 000005
【図４】
2008079021.tif 000006
【図５】
2008079021.tif 000007
【図６】
2008079021.tif 000008
【図７】
2008079021.tif 000009
【図８】
2008079021.tif 000010